(57)【要約】【課題】運転者に視覚的な違和感を与えにくい片ハイ用配光パターンを形成する技術を提供する。【解決手段】本発明のある態様の灯具ユニットは、光源からの光を灯具前方に照射するための投影レンズと、光源と投影レンズとの間に設けられ、光源光の一部を遮蔽して形状が異なる複数の配光パターンを形成可能であり、回転駆動することにより回転位置に応じて異なる配光パターンを選択形成する回転シェード１００とを備える。複数の配光パターンのうち１つは、配光パターンの中心側から水平方向外側に延びる第１カットオフラインと、当該第１カットオフラインの前記中心側の端部から上方に延びる第２カットオフラインとを有する。回転シェード１００は、前記第１カットオフラインの前記中心側の領域における明部と暗部との間の照度変化よりも照度変化を緩やかにするぼかしを、第２カットオフラインの少なくとも一部に形成する、ぼかし形成部１０６を有する。【選択図】図２
2014002955.tif 000002
【特許請求の範囲】
【請求項１】
光源からの光を灯具前方に照射するための投影レンズと、
光源と前記投影レンズとの間に設けられ、光源光の一部を遮蔽して形状が異なる複数の配光パターンを形成可能であり、回転駆動することにより回転位置に応じて異なる配光パターンを選択形成する回転シェードと、を備え、
前記複数の配光パターンのうち１つは、配光パターンの中心側から水平方向外側に延びる第１カットオフラインと、当該第１カットオフラインの前記中心側の端部から上方に延びる第２カットオフラインとを有し、
前記回転シェードは、前記第１カットオフラインの前記中心側の領域における明部と暗部との間の照度変化よりも照度変化を緩やかにするぼかしを、前記第２カットオフラインの少なくとも一部に形成する、ぼかし形成部を有することを特徴とする灯具ユニット。
【請求項２】
前記回転シェードは、回転軸方向に延びる円筒部材と、前記円筒部材の外周面が切り欠かれた切り欠き部とを有し、
前記切り欠き部により光源から投影レンズへの光の進行を許容する空間が形成され、
前記切り欠き部の輪郭部が前記第２カットオフラインを形成し、
前記ぼかし形成部は、前記空間に接する前記切り欠き部の表面により構成される請求項１に記載の灯具ユニット。
【請求項３】
前記第２カットオフラインは、前記ぼかしが形成されるぼかし領域と、前記ぼかしが形成されない非ぼかし領域とを有し、
前記回転シェードは、前記非ぼかし領域における明暗境界の鮮明度を増大させるカットオフライン明瞭化部を有する請求項２に記載の灯具ユニット。
【請求項４】
前記カットオフライン明瞭化部は、前記切り欠き部の表面による、前記非ぼかし領域の近傍への光の反射を抑制する反射抑制部を含む請求項３に記載の灯具ユニット。
【請求項５】
前記切り欠き部の表面は、前記非ぼかし領域を形成する輪郭部の第１部分に接する第１表面部分と、前記ぼかし領域を形成する輪郭部の第２部分に接する第２表面部分とを含み、
前記反射抑制部は、前記第１表面部分が切り欠かれてなる請求項４に記載の灯具ユニット。
【請求項６】
前記切り欠き部の表面は、前記非ぼかし領域を形成する輪郭部の第１部分に接する第１表面部分と、前記ぼかし領域を形成する輪郭部の第２部分に接する第２表面部分とを含み、
前記反射抑制部は、前記第２表面部分よりも反射率が低い前記第１表面部分の粗化面で構成される請求項４に記載の灯具ユニット。
【請求項７】
前記切り欠き部の表面は、前記非ぼかし領域を形成する輪郭部の第１部分に接する第１表面部分と、前記ぼかし領域を形成する輪郭部の第２部分に接する第２表面部分とを含み、
前記カットオフライン明瞭化部は、前記第１表面部分における光の反射方向を、反射光が前記投影レンズに入射されない方向に向ける反射方向調節部を含む請求項３に記載の灯具ユニット。
【発明の詳細な説明】
【技術分野】
【０００１】
本発明は、灯具ユニットに関し、特に自動車などの車両に用いられる灯具ユニットに関するものである。
【背景技術】
【０００２】
従来、光源からの光の一部をシェードで遮光することによりロービーム用配光パターンを形成し、シェードで遮光しない場合にハイビーム用配光パターンを形成する配光可変タイプの車両用の灯具ユニットがある。また、近年の車両の高性能化に伴い、周囲の状況に応じて標準的なロービームやハイビームとは形状の異なる配光パターンを形成する灯具ユニットが提案されている。
【０００３】
例えば、特許文献１〜３には、ロービーム用配光パターンのカットオフラインより上方でかつ鉛直線より右側の領域を含む配光パターンと、鉛直線より左側の領域を含む配光パターンとを形成可能な車両用前照灯装置が開示されている。これらの配光パターンは、いわゆる片ハイ用配光パターンである。
【先行技術文献】
【特許文献】
【０００４】
【特許文献１】特開２００９−２２７０８８号公報
【特許文献２】特開２０１０−０００９５７号公報
【特許文献３】特開２０１０−２５７９０９号公報
【発明の概要】
【発明が解決しようとする課題】
【０００５】
上述した片ハイ用配光パターンは、ロービーム用配光パターンのカットオフラインより上方で光照射領域と遮光領域とが水平方向に並んだ配光パターンである。そのため、片ハイ用配光パターンは、配光パターンの中心近傍から上方に延びるカットオフラインを有する。
【０００６】
一般に車両前方の中央領域は、運転者の視線が集中する傾向にある。この中央領域は、運転者の視線が集中する領域であるが故に、運転者が照度の変化を認識しやすい領域である。また、運転者は一般に、鉛直方向の明暗変化よりも水平方向の明暗変化に対して強い違和感を抱く傾向にある。そのため、上方に延びるカットオフラインが中央領域に重なる上述した片ハイ用配光パターンは、運転者に視覚的な違和感を与える可能性があった。
【０００７】
本発明はこうした課題に鑑みてなされたものであり、その目的は、運転者に視覚的な違和感を与えにくい片ハイ用配光パターンを形成する技術を提供することにある。
【課題を解決するための手段】
【０００８】
上記課題を解決するために、本発明のある態様は灯具ユニットである。当該灯具ユニットは、光源からの光を灯具前方に照射するための投影レンズと、光源と前記投影レンズとの間に設けられ、光源光の一部を遮蔽して形状が異なる複数の配光パターンを形成可能であり、回転駆動することにより回転位置に応じて異なる配光パターンを選択形成する回転シェードと、を備える。前記複数の配光パターンのうち１つは、配光パターンの中心側から水平方向外側に延びる第１カットオフラインと、当該第１カットオフラインの前記中心側の端部から上方に延びる第２カットオフラインとを有する。前記回転シェードは、前記第１カットオフラインの前記中心側の領域における明部と暗部との間の照度変化よりも照度変化を緩やかにするぼかしを、前記第２カットオフラインの少なくとも一部に形成する、ぼかし形成部を有する。
【０００９】
この態様によれば、運転者に視覚的な違和感を与えにくい片ハイ用配光パターンを形成することができる。
【００１０】
上記態様において、前記回転シェードは、回転軸方向に延びる円筒部材と、前記円筒部材の外周面が切り欠かれた切り欠き部とを有し、前記切り欠き部により光源から投影レンズへの光の進行を許容する空間が形成され、前記切り欠き部の輪郭部が前記第２カットオフラインを形成し、前記ぼかし形成部は、前記空間に接する前記切り欠き部の表面により構成されてもよい。これによっても、運転者に視覚的な違和感を与えにくい片ハイ用配光パターンを形成することができる。
【００１１】
上記態様において、前記第２カットオフラインは、前記ぼかしが形成されるぼかし領域と、前記ぼかしが形成されない非ぼかし領域とを有し、前記回転シェードは、前記非ぼかし領域における明暗境界の鮮明度を増大させるカットオフライン明瞭化部を有してもよい。これにより、運転者に視覚的な違和感を与えにくく、かつ運転者の視認性の向上が求められる領域における運転者の視認性が高い片ハイ用配光パターンを形成することができる。
【００１２】
上記いずれかの態様において、前記カットオフライン明瞭化部は、前記切り欠き部の表面による、前記非ぼかし領域の近傍への光の反射を抑制する反射抑制部を含んでもよい。また、前記切り欠き部の表面は、前記非ぼかし領域を形成する輪郭部の第１部分に接する第１表面部分と、前記ぼかし領域を形成する輪郭部の第２部分に接する第２表面部分とを含み、前記反射抑制部は、前記第１表面部分が切り欠かれてなってもよい。また、前記反射抑制部は、前記第２表面部分よりも反射率が低い前記第１表面部分の粗化面で構成されてもよい。また、前記カットオフライン明瞭化部は、前記第１表面部分における光の反射方向を、反射光が前記投影レンズに入射されない方向に向ける反射方向調節部を含んでもよい。これらによっても、運転者に視覚的な違和感を与えにくく、かつ運転者の視認性の向上が求められる領域における運転者の視認性が高い片ハイ用配光パターンを形成することができる。
【発明の効果】
【００１３】
本発明によれば、運転者に視覚的な違和感を与えにくい片ハイ用配光パターンを形成する技術を提供することができる。
【図面の簡単な説明】
【００１４】
【図１】実施形態１に係る灯具ユニットを含む前照灯ユニットの概略鉛直断面図である。
【図２】図２（Ａ）は、灯具前方かつ灯具右側から観察したときの回転シェードの概略構造を示す斜視図である。図２（Ｂ）は、灯具前方から観察したときの回転シェードの概略構造を示す正面図である。
【図３】図３（Ａ）は、回転シェードのぼかし形成部近傍の拡大図である。図３（Ｂ）は、図２（Ｂ）のＡ−Ａ線に沿った断面図である。図３（Ｃ）は、図２（Ｂ）のＢ−Ｂ線に沿った断面図である。
【図４】実施形態１に係る灯具ユニットによって形成される片ハイ用配光パターンの模式図である。
【図５】図５（Ａ）〜図５（Ｃ）は、実施形態１に係る灯具ユニットで形成可能な片ハイ用配光パターン以外の配光パターンを説明するための図である。
【図６】図６（Ａ）は、実施形態２に係る灯具ユニットの回転シェードを灯具前方かつ灯具右側から観察したときの概略斜視図である。図６（Ｂ）は、回転シェードを灯具前方から観察したときの概略正面図である。
【図７】図７（Ａ）は、回転シェードのぼかし形成部近傍の拡大図である。図７（Ｂ）は、図６（Ｂ）のＣ−Ｃ線に沿った断面図である。図７（Ｃ）は、図６（Ｂ）のＤ−Ｄ線に沿った断面図である。
【図８】図８（Ａ）は、実施形態３に係る灯具ユニットにおける回転シェードのぼかし形成部近傍の拡大図である。図８（Ｂ）は、変形例に係る灯具ユニットにおける回転シェードのぼかし形成部近傍の拡大図である。
【発明を実施するための形態】
【００１５】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１６】
（実施形態１）
図１は、実施形態１に係る灯具ユニットを含む前照灯ユニットの概略鉛直断面図である。車両に搭載される前照灯ユニット２１０は、左右対称に形成された一対の前照灯ユニットが車両の車幅方向左右に１つずつ配置された構造を有する。左右に配置された前照灯ユニットは実質的に同一の構成であるため、以下では右側の前照灯ユニット２１０Ｒの構造を説明し、左側の前照灯ユニット２１０Ｌの説明は適宜省略する。前照灯ユニット２１０Ｒは、車両前方側に開口部を有するランプボディ２１２と、この開口部を覆う透光カバー２１４とを有する。ランプボディ２１２は、車両後方側に着脱カバー２１２ａを有する。ランプボディ２１２と透光カバー２１４とによって灯室２１６が形成されている。灯室２１６には灯具ユニット１０が収納されている。
【００１７】
灯具ユニット１０には、灯具ユニット１０の上下左右方向の揺動中心となるピボット機構２１８ａを有するランプブラケット２１８が形成されている。ランプブラケット２１８は、ランプボディ２１２に支持されたエイミング調整ネジ２２０と螺合している。灯具ユニット１０の下面には、スイブルアクチュエータ２２２の回転軸２２２ａが固定されている。スイブルアクチュエータ２２２は、ユニットブラケット２２４に固定されている。ユニットブラケット２２４には、レベリングアクチュエータ２２６が接続されている。レベリングアクチュエータ２２６は、例えばロッド２２６ａを矢印Ｍ，Ｎ方向に伸縮させるモータなどで構成されている。
【００１８】
灯具ユニット１０は、回転シェード１００を含むシェード機構１８、光源としてのバルブ１４、リフレクタ１６を内壁に支持する灯具ハウジング１７、及び投影レンズ２０を備える。バルブ１４は、白熱球やハロゲンランプ、放電球、ＬＥＤなどが使用可能である。リフレクタ１６は、少なくとも一部が楕円球面状であり、バルブ１４から放射された光を反射する。バルブ１４からの光及びリフレクタ１６で反射した光は、一部が回転シェード１００を経て投影レンズ２０へと導かれる。回転シェード１００は、回転軸１００ａを中心に回転可能な円筒部材であり、所定の切欠部を備える。回転シェード１００は、バルブ１４と投影レンズ２０との間に設けられ、光源光の一部を遮蔽して形状が異なる複数の配光パターンを形成可能であり、回転駆動することにより回転位置に応じて異なる配光パターンを選択形成する。回転シェード１００の構造は後に詳細に説明する。投影レンズ２０は、光源からの光を灯具前方に照射するためのレンズである。投影レンズ２０は、平凸非球面レンズからなり、後方焦点面上に形成される光源像を反転像として灯具前方の仮想鉛直スクリーン上に投影する。
【００１９】
続いて、回転シェード１００の構造について詳細に説明する。図２（Ａ）は、灯具前方かつ灯具右側から観察したときの回転シェードの概略構造を示す斜視図である。図２（Ｂ）は、灯具前方から観察したときの回転シェードの概略構造を示す正面図である。図３（Ａ）は、回転シェードのぼかし形成部近傍の拡大図である。図３（Ｂ）は、図２（Ｂ）のＡ−Ａ線に沿った断面図である。図３（Ｃ）は、図２（Ｂ）のＢ−Ｂ線に沿った断面図である。図４は、実施形態１に係る灯具ユニットによって形成される片ハイ用配光パターンの模式図である。なお、図４では、灯具前方の所定位置、例えば灯具前方２５ｍの位置に配置された仮想鉛直スクリーン上に形成された配光パターンを示している。
【００２０】
回転シェード１００は、回転軸方向に延びる円筒部材１０２と、円筒部材１０２の外周面が切り欠かれた切り欠き部１０３，１０４とを有する。切り欠き部１０３は、円筒部材１０２の外周面のうち、回転軸周り方向で略半分の領域、回転軸方向で全域が切り欠かれてなる。切り欠き部１０４は、円筒部材１０２の外周面のうち、回転軸周り方向で略１／４の領域、回転軸方向で一端側から中央部までの半分の領域が切り欠かれてなる。そして、切り欠き部１０４により光源から投影レンズ２０への光の進行を許容する空間１０５が形成されている。回転シェード１００は、その回転位置（角度）に応じて、切り欠き部１０３、切り欠き部１０４、及び残りの外周面の所定領域が光軸側に配置される。これにより、バルブ１４から投影レンズ２０に向かう光が部分的に遮蔽され、又は非遮蔽となって、異なる複数の配光パターンが形成される。複数の配光パターンは、例えば、車両に搭載されたライトスイッチ等の操作により切り替えることができる。
【００２１】
複数の配光パターンのうち１つは、図４に示す、片ハイ用配光パターンＰである。片ハイ用配光パターンＰは、切り欠き部１０４が光軸Ｏ側に配置され、回転シェード１００により光源光の一部が遮光されることで形成される。片ハイ用配光パターンＰは、水平線Ｈより上方で、相対的に左側の領域に光照射領域Ｐ１が、相対的に右側の領域に遮光領域Ｓがそれぞれ形成された、いわゆる「左片ハイビーム」を形成する配光パターンである。片ハイ用配光パターンＰは、片ハイ用配光パターンＰの中心側から水平方向外側に延びる第１カットオフラインＣＬ１と、第１カットオフラインＣＬ１の中心側の端部から上方に延びる第２カットオフラインＣＬ２とを有する。
【００２２】
片ハイ用配光パターンＰの中心側から外側に水平方向に延びる第１カットオフラインＣＬ１は、片ハイ用配光パターンＰのうち水平線Ｈより下方かつ右側領域に位置する部分と遮光領域Ｓとの境界である。第２カットオフラインＣＬ２は、光照射領域Ｐ１と遮光領域Ｓとの境界である。本実施形態では、第１カットオフラインＣＬ１が水平線Ｈよりも下側に配置され、第２カットオフラインＣＬ２が鉛直線Ｖよりも左側に配置されているが、それぞれの位置はこれに限定されない。
【００２３】
回転シェード１００は、切り欠き部１０４の輪郭部１０４ａによって第２カットオフラインＣＬ２を形成する。輪郭部１０４ａは、切り欠き部１０４と切り欠き部１０３との稜線であって、円筒部材１０２の回転軸に対して交わる方向に延在する。また、回転シェード１００は、輪郭部１０４ａを含み回転軸に平行な平面上に位置する円筒部材１０２の外周面、すなわち切り欠き部１０３と円筒部材１０２の外周面との稜線１０２ａによって、第１カットオフラインＣＬ１を形成する。輪郭部１０４ａ及び稜線１０２ａは、投影レンズ２０の後方焦点Ｆを含む後方焦点面に含まれるように配置される。
【００２４】
回転シェード１００は、第２カットオフラインＣＬ２にぼかしを形成するための、ぼかし形成部１０６を有する。前記「ぼかし」とは、第１カットオフラインＣＬ１の中心側の領域ＣＬ１ｘにおける明部と暗部との間、すなわち片ハイ用配光パターンＰと遮光領域Ｓとの間の照度変化よりも照度変化を緩やかにすることをいう。また、領域ＣＬ１ｘは、第１カットオフラインＣＬ１と第２カットオフラインＣＬ２との交点からの所定範囲である。本実施形態では、ぼかし形成部１０６は、空間１０５に接する切り欠き部１０４の表面１０４ｂにより構成されている。表面１０４ｂは、輪郭部１０４ａに接し、輪郭部１０４ａから灯具前方側に延在している。
【００２５】
ぼかし形成部１０６を構成する表面１０４ｂは、投影レンズ２０の後方焦点面から灯具前方に向かって延在している。そのため、切り欠き部１０４により形成された空間１０５における表面１０４ｂ近傍の光通過領域Ｒを通る光の一部は、光通過領域Ｒを臨む表面１０４ｂで反射される。その結果、ぼかし形成部１０６と接する輪郭部１０４ａが形成する第２カットオフラインＣＬ２の部分（ぼかし形成部１０６に対応する領域）に低照度のパターンが形成される。また、ぼかし形成部１０６によって、第２カットオフラインＣＬ２のぼかし形成部１０６に対応する領域にピンぼけが生じる。さらに、ぼかし形成部１０６に対応する領域の近傍に照射されるべき光の一部が遮蔽される。これらの少なくとも１つにより、当該領域では、光照射領域Ｐ１と遮光領域Ｓとの照度差が小さくなる。すなわち、第２カットオフラインＣＬ２にぼかしが形成される。
【００２６】
その結果、第２カットオフラインＣＬ２のうち、輪郭部１０４ａのぼかし形成部１０６が接する部分によって形成される領域は、ぼかしが形成されるぼかし領域ＣＬ２ａとなる。ぼかし領域ＣＬ２ａでは、第１カットオフラインＣＬ１の第２カットオフラインＣＬ２側端部領域よりも照度変化が緩やかになっている。
【００２７】
本実施形態では、切り欠き部１０４の表面１０４ｂは、第１表面部分１０４ｂ１と、第２表面部分１０４ｂ２とを含む。第１表面部分１０４ｂ１は、輪郭部１０４ａにおける稜線１０２ａ側端部からの所定領域に接する。第２表面部分１０４ｂ２は、輪郭部１０４ａにおける第１表面部分１０４ｂ１が接する領域よりも稜線１０２ａ側端部から離れた領域に接する。そして、ぼかし形成部１０６は、第２表面部分１０４ｂ２により構成されている。そのため、第２カットオフラインＣＬ２は、第１カットオフラインＣＬ１側端部からの所定領域が、ぼかしが形成されない非ぼかし領域ＣＬ２ｂとなり、非ぼかし領域ＣＬ２ｂよりも外側の領域が、ぼかし領域ＣＬ２ａとなる。また、輪郭部１０４ａは、第１表面部分１０４ｂ１に接して非ぼかし領域ＣＬ２ｂを形成する第１部分１０４ａ１と、第２表面部分１０４ｂ２に接してぼかし領域ＣＬ２ａを形成する第２部分１０４ａ２とに分けられる。第２表面部分１０４ｂ２の灯具前方への延出長さは、最大部分で例えば約１．０ｍｍ〜約８．０ｍｍである。
【００２８】
一般に、片ハイ用配光パターンＰの中心近傍は、運転者の視認性が高いことが望まれる領域である。したがって、第１カットオフラインＣＬ１を形成する稜線１０２ａからぼかし形成部１０６を離間させることで、運転者の視認性が高いことが望まれる領域に非ぼかし領域ＣＬ２ｂが延在し、非ぼかし領域ＣＬ２ｂの上方にぼかし領域ＣＬ２ａが延在する第２カットオフラインＣＬ２を形成することができる。
【００２９】
また、回転シェード１００は、非ぼかし領域ＣＬ２ｂにおける明暗境界の鮮明度を増大させるカットオフライン明瞭化部１０８を有する。カットオフライン明瞭化部１０８を設けることで、カットオフライン明瞭化部１０８を設けない場合に比べて非ぼかし領域ＣＬ２ｂにおける照度変化を急峻にすることができる。あるいは、カットオフライン明瞭化部１０８を設けることで、非ぼかし領域ＣＬ２ｂにおける照度変化を、第１カットオフラインＣＬ１の中心側の領域ＣＬ１ｘにおける照度変化と同程度又はより急峻にすることができる。
【００３０】
本実施形態のカットオフライン明瞭化部１０８は、切り欠き部１０４の第１表面部分１０４ｂ１による、非ぼかし領域ＣＬ２ｂの近傍への光の反射を抑制する反射抑制部１１０を含む。本実施形態では、切り欠き部１０４の第１表面部分１０４ｂ１が切り欠かれてなる反射抑制部１１０によって、カットオフライン明瞭化部１０８が構成されている。第１表面部分１０４ｂ１は、第１部分１０４ａ１側から灯具前方側にいくにつれて深く切り欠かれている。そのため、反射抑制部１１０は、灯具斜め前方を向くテーパ面を有する。反射抑制部１１０を設けることで、非ぼかし領域ＣＬ２ｂを形成する輪郭部１０４ａ１と空間１０５とに接する第１表面部分１０４ｂ１の面積を小さくすることができる。これにより、第１表面部分１０４ｂ１における光の反射を抑制することができるため、非ぼかし領域ＣＬ２ｂをより明瞭にすることができる。
【００３１】
輪郭部１０４ａの第１部分１０４ａ１は、円筒部材１０２の回転軸に対して略直交し、第２部分１０４ａ２及び第２表面部分１０４ｂ２は、空間１０５側に傾いている（図２（Ｂ）参照）。そのため、形成される第２カットオフラインＣＬ２は、非ぼかし領域ＣＬ２ｂが鉛直線Ｖと略平行に延在し、ぼかし領域ＣＬ２ａが光照射領域Ｐ１側（左側）に傾いて延在する形状となる。
【００３２】
ぼかし形成部１０６を構成する第２表面部分１０４ｂ２は、第１カットオフラインＣＬ１を形成する稜線１０２ａから離れるにつれて、面積が増大するように設計されてもよい。この場合、ぼかし領域ＣＬ２ａに形成されるぼかしの幅を、片ハイ用配光パターンＰの外側に近づくほど広くすることができる。これにより、運転者の視認性の向上が求められる片ハイ用配光パターンＰの中心近傍に近づくにつれて明瞭となり、運転者に与える違和感の低減が優先される片ハイ用配光パターンＰの外側領域に近づくにつれて不明瞭となる第２カットオフラインＣＬ２を形成することができる。また、第２表面部分１０４ｂ２には、バルブ１４からの光の拡散反射率を高める表面処理が施されてもよい。これにより、ぼかし領域ＣＬ２ａにおけるぼかしの程度を大きくすることができる。
【００３３】
図５（Ａ）〜図５（Ｃ）は、実施形態１に係る灯具ユニットで形成可能な片ハイ用配光パターン以外の配光パターンを説明するための図である。各図において、左側は配光パターンの形状を示し、右側は左側の配光パターンが形成される際の回転シェード１００の状態を示す。各図の右側に示す回転シェード１００の上側が光軸側である。また、図５（Ａ）〜図５（Ｃ）では、灯具前方２５ｍの位置に配置された仮想鉛直スクリーン上に形成された配光パターンを示している。また、灯具前方から観察したときの回転シェード１００を示している。
【００３４】
図５（Ａ）に示すように、円筒部材１０２の外周面の所定領域が光軸側に配置された場合に、ロービーム用配光パターンＬｏを形成することができる。また、図５（Ｂ）に示すように、円筒部材１０２の外周面の他の所定領域が光軸側に配置された場合に、モータウェイ用配光パターンＰＭを形成することができる。モータウェイ用配光パターンＰＭは、ロービーム用配光パターンＬｏと略同一形状のカットオフラインが、ロービーム用配光パターンＬｏのカットオフラインよりも鉛直方向上方に配置された配光パターンであり、高速走行用に遠方視認性を向上させることができる。また、図５（Ｃ）に示すように、切り欠き部１０３が光軸側に配置された場合に、ハイビーム用配光パターンＨｉを形成することができる。各配光パターンの形状は公知であるため、これ以上の詳細な説明は省略する。
【００３５】
以上説明したように、本実施形態に係る灯具ユニット１０は、水平方向に延びる第１カットオフラインＣＬ１と、第１カットオフラインＣＬ１の端部から上方に延びる第２カットオフラインＣＬ２とを有する片ハイ用配光パターンＰを形成可能である。そして、回転シェード１００は、第２カットオフラインＣＬ２にぼかしを形成するぼかし形成部１０６を有する。これにより、第２カットオフラインＣＬ２の少なくとも一部をぼかし領域ＣＬ２ａとすることができるため、運転者に視覚的な違和感を与えにくい片ハイ用配光パターンＰを形成することができる。また、ぼかし形成部１０６は、円筒部材１０２に設けられた切り欠き部１０４の第２表面部分１０４ｂ２によって形成されている。そのため、ぼかし形成部１０６を設けたことによる部品点数の増加を回避することができる。また、第２表面部分１０４ｂ２の面積、位置等を調整することで、ぼかし領域ＣＬ２ａの範囲や照度変化の勾配等を簡単に制御することができる。
【００３６】
また、本実施形態の灯具ユニット１０により形成される片ハイ用配光パターンＰは、ぼかし領域ＣＬ２ａと非ぼかし領域ＣＬ２ｂとを含む第２カットオフラインＣＬ２を有する。そして、回転シェード１００は、非ぼかし領域ＣＬ２ｂをより明瞭化するためのカットオフライン明瞭化部１０８を有する。これにより、運転者に視覚的な違和感を与えにくく、かつ運転者の視認性の向上が求められる領域における運転者の視認性が高い片ハイ用配光パターンＰを形成することができる。また、カットオフライン明瞭化部１０８は、切り欠き部１０４の第１表面部分１０４ｂ１による反射を抑制する反射抑制部１１０を含み、反射抑制部１１０は、第１表面部分１０４ｂ１に設けられた切り欠き部で構成されている。そのため、簡単な構造で非ぼかし領域ＣＬ２ｂの明瞭化を図ることができる。また、第１表面部分１０４ｂ１の切り欠かれる面積、位置等を調整することで、非ぼかし領域ＣＬ２ｂの明瞭化の程度や範囲を簡単に制御することができる。
【００３７】
（実施形態２）
実施形態２に係る灯具ユニット１０は、回転シェード１００におけるカットオフライン明瞭化部１０８の形状が異なる点を除き、実施形態１に係る灯具ユニットと同様の構成及び効果を備える。以下、実施形態１と異なる点を中心に、本実施形態に係る灯具ユニットについて説明する。なお、実施形態１と同一の構成については同一の符号を付し、その説明及び図示は省略する。
【００３８】
図６（Ａ）は、実施形態２に係る灯具ユニットの回転シェードを灯具前方かつ灯具右側から観察したときの概略斜視図である。図６（Ｂ）は、回転シェードを灯具前方から観察したときの概略正面図である。図７（Ａ）は、回転シェードのぼかし形成部近傍の拡大図である。図７（Ｂ）は、図６（Ｂ）のＣ−Ｃ線に沿った断面図である。図７（Ｃ）は、図６（Ｂ）のＤ−Ｄ線に沿った断面図である。
【００３９】
本実施形態の回転シェード１００は、非ぼかし領域ＣＬ２ｂにおける明暗境界の鮮明度を増大させるカットオフライン明瞭化部１０８を有する。カットオフライン明瞭化部１０８は、切り欠き部１０４の第１表面部分１０４ｂ１における光の反射方向を、反射光が投影レンズ２０に入射されない方向に向ける反射方向調節部１１２を含む。本実施形態では、第１表面部分１０４ｂ１から空間１０５側に突出する突出部からなる反射方向調節部１１２によって、カットオフライン明瞭化部１０８が構成されている。反射方向調節部１１２は、輪郭部１０４ａの第１部分１０４ａ１側から灯具前方側にいくにつれて、空間１０５への突出量が増大する形状を有し、光軸Ｏ（図１参照）に対して僅かに灯具後方側を向くように傾いた反射面１１２ａを有する。反射面１１２ａの傾きは、反射面１１２ａで反射された光源光が投影レンズ２０に入射されない角度となるように調整される。したがって、輪郭部１０４ａの第１部分１０４ａ１近傍を通る光のうち、反射方向調節部１１２が設けられていなければ第１表面部分１０４ｂ１で反射されたであろう光は、反射面１１２ａにより反射されて灯具前方への進行が妨げられる。これにより、非ぼかし領域ＣＬ２ｂの近傍に、ぼかしの原因となる光が照射されることを抑制することができる。その結果、非ぼかし領域ＣＬ２ｂをより明瞭にすることができる。
【００４０】
本実施形態では、反射方向調節部１１２を構成する突出部が第１表面部分１０４ｂ１の全域に設けられているが、これに限定されない。例えば、第１表面部分１０４ｂ１の一部の領域に突出部が設けられた構造も本実施形態の範囲に含まれる。この場合であっても、非ぼかし領域ＣＬ２ｂの明瞭化をある程度図ることができる。また、反射面１１２ａを有する複数の突出部が第１表面部分１０４ｂ１の全域又は一部の領域に配列された構造であってもよい。反射方向調節部１１２の反射面１１２ａの面積や角度、設置位置等を調整することで、非ぼかし領域ＣＬ２ｂの明瞭化の程度や範囲を簡単に制御することができる。
【００４１】
（実施形態３）
実施形態３に係る灯具ユニット１０は、回転シェード１００におけるカットオフライン明瞭化部１０８の形状が異なる点を除き、実施形態１に係る灯具ユニットと同様の構成及び効果を備える。以下、実施形態１と異なる点を中心に、本実施形態に係る灯具ユニットについて説明する。なお、実施形態１と同一の構成については同一の符号を付し、その説明及び図示は省略する。
【００４２】
図８（Ａ）は、実施形態３に係る灯具ユニットにおける回転シェードのぼかし形成部近傍の拡大図である。本実施形態の回転シェード１００は、非ぼかし領域ＣＬ２ｂにおける明暗境界の鮮明度を増大させるカットオフライン明瞭化部１０８を有する。カットオフライン明瞭化部１０８は、切り欠き部１０４の第１表面部分１０４ｂ１による、非ぼかし領域ＣＬ２ｂの近傍への光の反射を抑制する反射抑制部１１０を含む。本実施形態では、反射抑制部１１０は、第２表面部分１０４ｂ２よりも反射率が低い第１表面部分１０４ｂ１の粗化面で構成される。すなわち、第１表面部分１０４ｂ１の反射率を第２表面部分１０４ｂ２よりも低減させる、しぼ加工等の粗面化処理が第１表面部分１０４ｂ１に施されることで、反射抑制部１１０が形成されている。反射抑制部１１０を設けることで、第１表面部分１０４ｂ１における光の反射を抑制することができるため、非ぼかし領域ＣＬ２ｂをより明瞭にすることができる。
【００４３】
本実施形態では、反射抑制部１１０を構成する粗化面が第１表面部分１０４ｂ１の全域に設けられているが、これに限定されない。例えば、第１表面部分１０４ｂ１の一部に粗化面が設けられた構造も本実施形態の範囲に含まれる。この場合であっても、非ぼかし領域ＣＬ２ｂの明瞭化をある程度図ることができる。また、第１表面部分１０４ｂ１に設けられる粗化面の粗さや面積、配置等を調整することで、非ぼかし領域ＣＬ２ｂの明瞭化の程度を簡単に制御することができる。
【００４４】
本発明は、上述の各実施形態に限定されるものではなく、各実施形態を組み合わせたり、当業者の知識に基づいて各種の設計変更などの変形を加えることも可能であり、そのような組み合わせられ、もしくは変形が加えられた実施形態も本発明の範囲に含まれる。上述の実施形態同士の組合せによって生じる新たな実施形態、及び上述の各実施形態に変形が加えられた新たな実施形態は、組み合わされる実施形態及び変形それぞれの効果をあわせもつ。
【００４５】
実施形態１に係る灯具ユニット１０には、次の変形例を挙げることができる。図８（Ｂ）は、変形例に係る灯具ユニットにおける回転シェードのぼかし形成部近傍の拡大図である。本変形例では、第１表面部分１０４ｂ１が切り欠かれて有底孔が形成されており、この有底孔が反射抑制部１１０を構成している。このような反射抑制部１１０によっても第１表面部分１０４ｂ１の面積を小さくすることができ、第１表面部分１０４ｂ１における光の反射を抑制して、非ぼかし領域ＣＬ２ｂをより明瞭にすることができる。
【００４６】
上述の各実施形態及び変形例では、ぼかし領域ＣＬ２ａが第２カットオフラインＣＬ２の一部に設けられているが、これに限定されず、ぼかし領域ＣＬ２ａが第２カットオフラインＣＬ２の全域に設けられた構造も本発明の範囲に含まれる。また、ぼかし領域ＣＬ２ａを設ける位置及び範囲についても特に限定されず、形成しようとする片ハイ用配光パターンＰの形状等に応じて適宜変更することができる。また、上述の各実施形態及び変形例では、左片ハイ用配光パターンを形成しているが、形成する片ハイ用配光パターンＰは、水平線Ｈより上方かつ右側に光照射領域Ｐ１を有し、左側に遮光領域Ｓを有する右片ハイ用配光パターンであってもよい。
【符号の説明】
【００４７】
ＣＬ１  第１カットオフライン、  ＣＬ２  第２カットオフライン、  ＣＬ２ａ  ぼかし領域、  ＣＬ２ｂ  非ぼかし領域、  １０  灯具ユニット、  ２０  投影レンズ、  １００  回転シェード、  １００ａ  回転軸、  １０２  円筒部材、  １０４  切り欠き部、  １０４ａ  輪郭部、  １０４ａ１  第１部分、  １０４ａ２  第２部分、  １０４ｂ  表面、  １０４ｂ１  第１表面部分、  １０４ｂ２  第２表面部分、  １０５  空間、  １０６  ぼかし形成部、  １０８  カットオフライン明瞭化部、  １１０  反射抑制部、  １１２  反射方向調節部。
【図１】
2014002955.tif 000003
【図２】
2014002955.tif 000004
【図３】
2014002955.tif 000005
【図４】
2014002955.tif 000006
【図５】
2014002955.tif 000007
【図６】
2014002955.tif 000008
【図７】
2014002955.tif 000009
【図８】
2014002955.tif 000010